(57)【特許請求の範囲】
【請求項１】
ｎ＊ｍ画素の領域間隔で圧縮され、各領域のうち１つの第１画素に対応する予め設定されたムラ補正値（ここで、ｎ、ｍは２以上の整数である）を記憶するステップと、
前記予め設定されたムラ補正値に基づいて線形補間計算を行って、同一領域の第１画素以外の他の画素のムラ補正値を取得するとともに、表示パネルをムラ補正するステップと、
表示パネルをムラ補正した後に、表示パネルがｎ＊ｍ画素の領域間隔で圧縮されて形成された領域に属するＸ番目の領域にムラ現象が依然として存在する情報を取得するステップと、
最終的な階調補正曲線式を取得するステップと、
前記予め設定されたムラ補正値と前記最終的な階調補正曲線式とに基づいて、Ｘ番目の領域の第１画素以外の他の画素に対応する補完ムラ補正値を算出するステップと、
前記予め設定されたムラ補正値と前記補完ムラ補正値とに基づいて、Ｘ番目の領域を新たにムラ補正するステップとを含み、
前記最終的な階調補正曲線式を取得するステップは具体的に、
初期階調補正曲線式を記憶することと、
前記Ｘ番目の領域とその隣接する領域に記憶された予め設定されたムラ補正値に基づいて前記最終的な階調補正曲線式を算出することとを含み、
前記最終的な階調補正曲線式を算出することとは、
第１最終的な階調補正曲線式を算出すること、或いは第１最終的な階調補正曲線式及び第２最終的な階調補正曲線式を算出することを含む、
表示パネルのムラ現象補正方法。
【請求項２】
前記初期階調補正曲線式は、
ｙ＝ａｘｎ＋ｂｘｎ−１＋…＋ｃｘ＋ｄであり、
式中、ｙはムラ補正値であり、ｘはムラ補正値を算出する必要がある画素が前記Ｘ番目の領域と参照画素との間の行間隔画素数又は列間隔画素数を示し、ムラ補正値を算出する必要がある画素と第１画素とが同一行又は同一列である場合に、前記参照画素は第１画素であり、ムラ補正値を算出する必要がある画素と第１画素とが非同一行且つ非同一列である場合に、前記参照画素と、前記ムラ補正値を算出する必要がある画素とは同一行又は同一列であり、前記Ｘ番目の領域内の第１画素に同一列に対応するか又は同一行に対応し、ｎは２以上の整数であり、ａはゼロ以外の有理数であり、ｂ、…、ｃ、ｄは有理数である、
請求項１に記載の表示パネルのムラ現象補正方法。
【請求項３】
前記初期階調補正曲線式は、
ｙ＝ａｘ２＋ｃｘ＋ｄである、
請求項２に記載の表示パネルのムラ現象補正方法。
【請求項４】
前記初期階調補正曲線式がデータメモリ又はタイミングコントローラに記憶されている、
請求項１に記載の表示パネルのムラ現象補正方法。
【請求項５】
前記最終的な階調補正曲線式を取得するステップの前に、
前記最終的な階調補正曲線式を記憶するステップをさらに含む、
請求項１に記載の表示パネルのムラ現象補正方法。
【請求項６】
前記ｎ＝ｍである、
請求項１に記載の表示パネルのムラ現象補正方法。
【請求項７】
ｎ＊ｍ画素の領域で圧縮され、各領域のうち１つの画素に対応する予め設定されたムラ補正値（ここで、ｎ、ｍは２以上の整数である）を記憶するための第１記憶ユニットと、
前記予め設定されたムラ補正値に基づいて線形補間計算を行って、同一領域の第１画素以外の他の画素のムラ補正値を取得するとともに、表示パネルをムラ補正するための計算補正ユニットと、
表示パネルをムラ補正した後に、表示パネルがｎ＊ｍ画素の領域間隔で圧縮されて形成された領域に属するＸ番目の領域にムラ現象が依然として存在する情報を取得するための第１取得ユニットと、
最終的な階調補正曲線式を取得するための第２取得ユニットと、
前記予め設定されたムラ補正値と前記最終的な階調補正曲線式とに基づいて、Ｘ番目の領域の第１画素以外の他の画素に対応する補完ムラ補正値を算出するための算出ユニットと、
前記予め設定されたムラ補正値と前記補完ムラ補正値とに基づいて、Ｘ番目の領域を新たにムラ補正するための補正ユニットと、
を含み、
第２取得ユニットは具体的に、
初期階調補正曲線式を記憶するための記憶サブユニットと、
Ｘ番目の領域とその隣接する領域に記憶された予め設定されたムラ補正値に基づいて前記最終的な階調補正曲線式である第１最終的な階調補正曲線式、或いは第１最終的な階調補正曲線式及び第２最終的な階調補正曲線式を算出するための処理サブユニットを含む、
表示パネル。
【請求項８】
前記処理サブユニットがタイミングコントローラに位置する、
請求項７に記載の表示パネル。
【発明の詳細な説明】
【技術分野】
【０００１】
本発明は、表示技術分野に属し、具体的には、表示パネルのムラ現象補正方法及び表示パネルに関する。
【背景技術】
【０００２】
液晶ディスプレイ（Ｌｉｑｕｉｄ  Ｃｒｙｓｔａｌ  Ｄｉｓｐｌａｙ，ＬＣＤ）の製造工程における欠陥により、製造された液晶ディスプレイの表示パネルの輝度はしばしば不均一となり、様々なムラが形成される（ムラとはディスプレイの輝度が不均一であり、様々な痕跡をもたらす現象を意味する）。
【０００３】
表示パネル（ｐａｎｅｌ）の輝度の均一性を向上させるために、従来のムラ補正方法は、外部カメラにより階調画像（輝度の異なる純白画像）のムラ形態を撮影し、表示パネルの中心位置の輝度を比較することで、周囲領域と中心位置との輝度の差を算出し、次にムラ位置の階調（中心位置より明るい領域は階調を下げて輝度を下げ、中心位置よりも暗い領域は階調を上げて輝度を上げる）を逆補正することで、表示パネルが全体で比較的に均一な輝度を実現する。
【０００４】
通常、逆方向の補正データはフラッシュメモリ（ｆｌａｓｈ）に記憶されるが、設計コストを削減するために、フラッシュメモリに画素毎の階調補正データを記憶することはない。現在、ｎ＊ｎ画素（例えば、８＊８画素）の領域間隔で圧縮され、各領域は、フラッシュメモリに１画素分の階調補正データのみを記憶し、領域における他の画素の階調補正データは、線形補間計算により算出するのが一般的である。
【０００５】
ＵＨＤ（Ｕｌｔｒａ  Ｈｉｇｈ  Ｄｅｆｉｎｉｔｉｏｎ，超高精細）解像度の表示パネル（３８４０＊２１６０個の画素は、３８４０列の画素と２１６０行の画素とからなる表示パネルを表す）を例にして説明する。図１を参照すると、８＊８画素間隔で圧縮され、４８０＊２７０個の領域（図示において方形の点線で形成される１つの領域）が形成される。データメモリには、１行目の画素、９行目の画素、１７行目の画素、…２１４５行目の画素、２１５３行目の画素のそれぞれと、１列目の画素、９列目の画素、１７列目の画素、…、３８２５列目の画素、３８３３列目の画素との交差位置の画素（画素の外に丸印を付した）に対応するムラ補正データ、合計で４８０＊２７０個のムラ補正データが記憶される。また、３８３４列目の画素〜３８４０列目の画素に対応するムラ補正データを算出するとともに、２１５４行目の画素〜２１６０行目の画素に対応するムラ補正データを算出するために、記憶されている３８２５列目の画素に対応するムラ補正データと、３８３３列目の画素に対応するムラ補正データとにより、３８４１列目の画素に対応する補正データ（図中、仮想画素の外に丸印を付した）が算出され、２７０個のムラ補正データがあり、２１４５行目の画素に対応するムラ補正データと、２１５３行目の画素に対応する補正データとにより、２１６１行目の画素に対応するムラ補正データ（図中、仮想画素の外に丸印を付した）が算出され、４８０個のムラ補正データがあることにより、データメモリは合計で４８１＊２７１個のムラ補正データを記憶する必要がある。他の画素のムラ補正データは、既存の４８１＊２７１個のムラ補正データに基づいて、タイミングコントローラ（Ｔｃｏｎ  ＩＣ）で線形補間計算によって得られる。
【０００６】
上記の他の画素の具体的な算出方法は、図１を引続き参照して、１行目〜８行目、１列目〜８列目の８＊８個の画素からなる領域を例に説明する。該領域において、１列目の画素と１行目の画素との交差位置の画素（左上隅画素）に対応するムラ補正値をＡ’とし、９列目の画素と１行目の画素との交差位置の画素に対応するムラ補正値をＢ’とし、１列目の画素と９行目の画素との交差位置の画素に対応するムラ補正値をＣ’とし、９列目の画素と９行目の画素との交差位置の画素に対応するムラ補正値をＤ’とし、ｅ’画素に対応するムラ補正値をＥ’とし、ｆ’画素に対応するムラ補正値をＦ’とし、ｇ’画素に対応するムラ補正値をＧ’とする。ムラ補正値はＡ’、Ｂ’、Ｃ’、Ｄ’であることが知られており、Ｅ’、Ｆ’、Ｇ’は、線形補間によって以下のように算出される。
Ｅ’＝［（８−Ｙ’）＊Ａ’＋Ｙ’＊Ｃ’］／８；
Ｆ’＝［（８−Ｙ’）＊Ｂ’＋Ｙ’＊Ｄ’］／８；
Ｇ’＝［（８−Ｘ’）＊Ｅ’＋Ｘ’＊Ｆ’］／８。
ここで、Ｘ’、Ｙ’は、それぞれ対応する画素の、１列目及び１行目の交差位置画素に対する行画素間隔数、列画素間隔数である。
【発明の概要】
【発明が解決しようとする課題】
【０００７】
しかしながら、ある領域においてムラの変動状況が激しい場合、上記の線形補間によって残りの各画素の階調補正データを算出して補正されても、図２を参照すると、ムラ現象の変動状況が激しい領域が依然として顕著に見られる（図２の補正されていない場合の表示効果曲線の左端及び右端を参照する）。補正された後も、輝度の不均一性が顕著に見られるため、従来の線形補間計算方法は適用できなくなる。
【課題を解決するための手段】
【０００８】
本発明の実施例が解決しようとする技術的課題は、表示パネルのムラ現象補正方法及び表示パネルを提供することにある。表示パネル画面の輝度の不均一性の問題を軽減することができる。
【０００９】
上述した技術的課題を解決するために、本発明の第１態様の実施例は表示パネルのムラ現象補正方法を提供しており、以下のステップを含み、
ｎ＊ｍ画素の領域間隔で圧縮され、各領域のうち１つの第１画素に対応する予め設定されたムラ補正値（ここで、ｎ、ｍは２以上の整数である）を記憶するステップ、
前記予め設定されたムラ補正値に基づいて線形補間計算を行って、同一領域の第１画素以外の他の画素のムラ補正値を取得するとともに、表示パネルをムラ補正するステップ、
表示パネルをムラ補正した後に、表示パネルがｎ＊ｍ画素の領域間隔で圧縮されて形成された領域に属するＸ番目の領域にムラ現象が依然として存在する情報を取得するステップ、
最終的な階調補正曲線式を取得するステップ、
前記予め設定されたムラ補正値及び前記最終的な階調補正曲線式に基づいて、Ｘ番目の領域の第１画素以外の他の画素に対応する補完ムラ補正値を算出するステップ、
前記予め設定されたムラ補正値及び前記補完ムラ補正値に基づいて、Ｘ番目の領域を新たにムラ補正するステップ。
【００１０】
最終的な階調補正曲線式を取得するステップは具体的に以下のことを含み、
初期階調補正曲線式を記憶すること、
前記Ｘ番目の領域とその隣接する領域に記憶された予め設定されたムラ補正値に基づいて前記最終的な階調補正曲線式を算出すること。
前記初期階調補正曲線式は、以下の通りであり、
ｙ＝ａｘｎ＋ｂｘｎ−１＋…＋ｃｘ＋ｄ；
式中に、ｙはムラ補正値であり、ｘはムラ補正値を算出する必要がある画素がＸ番目の領域と参照画素との間の行間隔画素数又は列間隔画素数を示し、ムラ補正値を算出する必要がある画素と第１画素とが同一行又は同一列である場合に、前記参照画素は第１画素であり、ムラ補正値を算出する必要がある画素と第１画素とが非同一行且つ非同一列である場合に、前記参照画素と、前記ムラ補正値を算出する必要がある画素とは同一行又は同一列であり、前記Ｘ番目の領域内の第１画素に同一列に対応するか又は同一行に対応し、ｎは２以上の整数であり、ａはゼロ以外の有理数であり、ｂ、…、ｃ、ｄは有理数である。
【００１１】
前記初期階調補正曲線式は、以下の通りであり、
ｙ＝ａｘ２＋ｃｘ＋ｄ。
前記初期階調補正曲線式がデータメモリ又はタイミングコントローラに記憶されている。
【００１２】
最終的な階調補正曲線式を取得する前にさらに以下のステップを含み、
最終的な階調補正曲線式を記憶するステップ。
ここで、前記ｎ＝ｍである。
【００１３】
本発明の第２態様の実施例は表示パネルを提供し、以下のユニットを含み、
ｎ＊ｍ画素の領域で圧縮され、各領域のうち１つの画素に対応する予め設定されたムラ補正値（ここで、ｎ、ｍは２以上の整数である）を記憶するための第１記憶ユニット、
前記予め設定されたムラ補正値に基づいて線形補間計算を行って、同一領域の第１画素以外の他の画素のムラ補正値を取得するとともに、表示パネルをムラ補正するための計算補正ユニット、
表示パネルをムラ補正した後に、表示パネルがｎ＊ｍ画素の領域間隔で圧縮されて形成された領域に属するＸ番目の領域にムラ現象が依然として存在する情報を取得するための第１取得ユニット、
最終的な階調補正曲線式を取得するための第２取得ユニット、
前記予め設定されたムラ補正値と前記最終的な階調補正曲線式とに基づいて、Ｘ番目の領域の第１画素以外の他の画素に対応する補完ムラ補正値を算出するための算出ユニット、
前記予め設定されたムラ補正値と前記補完ムラ補正値とに基づいて、Ｘ番目の領域を新たにムラ補正するための補正ユニット。
【００１４】
第２取得ユニットは具体的に以下のサブユニットを含み、
初期階調補正曲線式を記憶するための記憶サブユニット、
Ｘ番目の領域とその隣接する領域に記憶された予め設定されたムラ補正値に基づいて最終的な階調補正曲線式を算出するための処理サブユニット。
前記処理サブユニットがタイミングコントローラに位置する。
【００１５】
本発明の実施例を実施することにより、次の有益な効果を有する。
表示パネルは、ムラ補正した後に、Ｘ番目の領域にムラ現象が依然として存在する情報を取得した場合に、Ｘ番目の領域を従来のようにムラ補正せずに、最終的な階調補正曲線式により、Ｘ番目の領域の第１画素以外の他の画素に対応する補完ムラ補正値を算出するとともに、前記予め設定されたムラ補正値及び前記補完ムラ補正値に基づいて、Ｘ番目の領域を新たにムラ補正することにより、Ｘ番目の領域のムラ問題を改善することができ、パネルムラの変動状況が激しい場合でも、表示パネルの表示効果を向上させることができる。
【図面の簡単な説明】
【００１６】
以下、本発明の実施例又は従来技術における技術的手段をより明確に説明するために、実施例又は従来技術の説明に使用する添付図面を簡単に説明するが、以下の説明における添付図面は、本発明のいくつかの実施例に過ぎず、当業者にとっては創造的努力なしにこれらの図面から他の図面を導き出すこともできることは明らかである。
【００１７】
【図１】図１は、従来技術の表示パネルの画素の配置図（表示パネルは、図中、丸印を付した画素に対応するムラ補正値を記憶する）である。
【図２】図２は、従来技術の表示パネルのある領域が補正されていない場合の表示効果曲線（曲線で示される）と線形補間計算補正線（斜線で示される）とを示す概略図である。
【図３】図３は、本発明の一実施例に係る表示パネルのムラ現象補正方法のフローチャートである。
【図４】図４は、Ｘ番目の領域の画素の配置図である
【図５】図５は、本発明の一実施例に係る表示パネルのＸ番目の領域が補正されていない場合の表示効果曲線（凹型曲線で示される）、線形補間計算補正線（斜線で示される）及び補正曲線（凸型曲線で示される）の対照概略図である。
【図６】図６は、本発明の一実施例に係る表示パネルの構成概略図である。
【発明を実施するための形態】
【００１８】
以下、本発明の実施例における図面を参照しながら、本発明の実施例における技術的手段を明確かつ完全に説明するが、説明した実施例は本発明の実施例のすべてではなく、単に実施例の一部であることは明らかである。本発明の実施例に基づいて、当業者が創造的努力なしに取得したすべての他の実施例は、いずれも本発明の保護範囲に属している。
【００１９】
本願の明細書、特許請求の範囲、及び図面における「含む」及び「有する」という用語、並びにそれらの任意の変形は、非排他的な包含を含むことを意図している。例えば、一連のステップ又はユニットを含むプロセス、方法、システム、製品又は装置は、記載されたステップ又はユニットに限定されず、記載されていないステップ又はユニットを所望によりさらに含むこと、又は、これらのプロセス、方法、製品又は装置に固有の他のステップ又はユニットを所望によりさらに含むこともできる。さらに、「第１」、「第２」及び「第３」などの用語は、異なる対象を区別するために使用され、特定の順序を説明するためのものではない。
【００２０】
本発明は、液晶表示パネル又は他の表示パネルであってもよい表示パネルのムラ現象補正方法を提供する。以下の説明において、表示パネルはＵＨＤ（Ｕｌｔｒａ  Ｈｉｇｈ  Ｄｅｆｉｎｉｔｉｏｎ，超高精細）パネルである。例えば、表示パネルの解像度は３８４０＊２１６０に達する（以下の説明では、３８４０＊２１６０を例に説明する）。勿論、本発明の他の実施例において、表示パネルの解像度は上記の解像度に限定されず、１９２０＊１０８０の解像度又は他の解像度であってもよい。図３〜図５を参照すると、前記方法は、以下のステップＳ１１０〜ステップＳ１６０を含む。
【００２１】
Ｓ１１０：ｎ＊ｍ画素の領域間隔で圧縮され、各領域のうち１つの第１画素に対応する予め設定されたムラ補正値（ここで、ｎ、ｍは２以上の整数である）を記憶するステップ。
【００２２】
本実施例において、ｎ＝ｍであって、ｎ及びｍはいずれも８であるが、当然ながら、本発明の他の実施例において、前記ｎ及びｍは等しくなくてもよく、ｎ及びｍは２以上の他の整数であってもよい。
【００２３】
本実施例において、表示パネルは、８＊８画素の領域間隔で圧縮され４８０（３８４０／８＝４８０）＊２７０（２１６０／８＝２７０）個の領域を形成し、各領域のうち１つの第１画素に対応する予め設定されたムラ補正値を記憶する。例えば、各領域の最も左上隅の画素、即ち、第１画素（本実施例はこの状況である）に対応する予め設定されたムラ補正値を記憶する、又は、第１画素である領域の最中間の画素に対応する予め設定されたムラ補正値を記憶する、又は、第１画素である領域内のいずれかの画素に対応する予め設定されたムラ補正値を選択して記憶する。ここで、４８１＊２７１個の予め設定されたムラ補正値を記憶するだけでよく、画素毎に対応するムラ補正値を記憶する必要がないことにより、メモリ空間を大幅に節約でき、コストを低減できる。
【００２４】
Ｓ１２０：前記予め設定されたムラ補正値に基づいて線形補間計算を行って、同一領域の第１画素以外の他の画素のムラ補正値を取得するとともに、表示パネルをムラ補正するステップ。
【００２５】
本実施例において、記憶された４８１＊２７１個の予め設定されたムラ補正値に基づいて、線形補間計算により、第１画素以外の他の画素のムラ補正値を取得する。具体的な算出方法は、背景技術を参照することにより、表示パネル全体の全画素のムラ補正値を取得した後、表示パネルをムラ補正する。
【００２６】
Ｓ１３０：表示パネルをムラ補正した後に、表示パネルがｎ＊ｍ画素の領域間隔で圧縮されて形成された領域に属するＸ番目の領域にムラ現象が依然として存在する情報を取得するステップ。
【００２７】
本実施例において、表示パネルに４８０＊２７０個の領域が形成され、高精細カメラ及びコンピュータを含む外付けムラ補修システムにより処理される場合、具体的な処理方法は、表示パネルは、記憶された予め設定された補正値を用い、隣接領域の予め設定された補正値により、各領域の第１画素以外の他の画素のムラ補正値を線形補間計算により取得する。即ち、各領域の第１画素以外の他の６３個の画素（８＊８−１）のムラ補正値が線形補間計算により取得され、ムラ補正した後に表示パネルが画面表示する。その後、高精細カメラで撮影し、撮影結果がコンピュータに入力され、コンピュータでソフトウェアにより処理され、表示パネルのＸ番目の領域におけるムラ現象が依然として存在する情報を取得する。コンピュータにより表示パネルのＸ番目の領域にムラ現象が依然として存在する情報を表示パネルに送信することにより、表示パネルはＸ番目の領域にムラ現象が依然として存在する情報を取得する。無論、Ｘ番目の領域以外の他の領域は、線形補間を引き続き適用して、第１画素以外の他の画素のムラ補正値を算出する。Ｘ番目の領域は、表示パネルが８＊８画素の領域間隔で圧縮されて形成された領域に属する。ここで、合計で４８０＊２７０個の領域が形成され、Ｘ番目の領域は４８０＊２７０個の領域のうち１つに属する。Ｘ番目の領域座標系における領域座標は、例えば（３，３）である。ここで、４８０個の領域が行方向に延在し、２７０個の領域が列方向に延在して形成された領域座標系であり、領域座標（３，３）は、行方向に３番目の領域、列方向に３番目の領域が交差して形成された領域を表す。また、表示パネルが複数のムラ補正値が適用されないという情報を有する場合、Ｘ番目の領域は、１つの領域に限定されず、複数の領域であってもよい。
【００２８】
Ｓ１４０：最終的な階調補正曲線式を取得するステップ。
【００２９】
本実施例において、表示パネルは従来の線形補間によって算出された直線式ではなく、最終的な階調補正曲線式を取得する。該最終的な階調補正曲線式は、例えば、２次方程式、３次方程式、４次方程式、５次方程式、…、ｋ次方程式（ｋは２以上の整数である）などであってもよい非線形補正計算式である。本実施例において、同一領域の異なる行又は異なる列の階調補正曲線式の次元は同一であるが、パラメータは同一であっても異なっていてもよい。
【００３０】
本実施例において、最終的な階調補正曲線式を取得するステップは具体的に以下のステップＳ１４１及びステップＳ１４２を含む。
【００３１】
Ｓ１４１：初期階調補正曲線式を記憶するステップ。
【００３２】
本実施例において、表示パネルは初期階調補正曲線式を記憶する。初期階調補正曲線式は具体的に表示パネルのデータメモリ（ｆｌａｓｈ）又はタイミングコントローラ（Ｔｃｏｎ  ＩＣ）に記憶されてもよい。初期階調補正曲線式は、
ｙ＝ａｘｎ＋ｂｘｎ−１＋…＋ｃｘ＋ｄである。
【００３３】
式中、ｙはムラ補正値であり、ｎは２以上の整数であり、ａはゼロ以外の有理数であり、ｂ、…、ｃ、ｄは有理数であり、ｘはムラ補正値を算出する必要がある画素のＸ番目の領域と参照画素との間の行間隔画素数又は列間隔画素数を示す。ムラ補正値を算出する必要がある画素と第１画素とが同一行又は同一列である場合、参照画素は第１画素である。ムラ補正値を算出する必要がある画素と第１画素とが非同一行且つ非同一列である場合に、参照画素と、ムラ補正値を算出する必要がある画素とは同一行又は同一列である。Ｘ番目の領域内の第１画素と同一列に対応するか又は同一行に対応する場合、例えば、ムラ補正値を算出する必要がある画素と、同一領域の第１画素とが同一行又は同一列に位置する場合（例えば、図４のｈ画素又はｅ画素）、第１画素（ａ画素）が参照画素である。ムラ補正値を算出する必要がある画素（図４のｇ画素）と第１画素（ａ画素）とが非同一行且つ非同一列である場合、参照画素は第１画素と同一行に位置し、参照画素とムラ補正値を算出する必要がある画素とが同一列（参照画素は、図４のｈ画素）であるか、又は、参照画素が第１画素と同一列に位置し、参照画素とムラ補正値を算出する必要がある画素とが同一行に位置する（参照画素は、図４のｅ画素）。図４を参照して、ｈ画素の列間隔数Ｘは３であり、ｅ画素の列間隔数Ｙは３であり、ｇ画素の参照画素ｈ又は参照画素ｅに対する行間隔数Ｙ又は列間隔数Ｘはいずれも３である。
【００３４】
例えば、初期階調補正曲線式は、ｙ＝ａｘ２＋ｃｘ＋ｄ、ｙ＝ａｘ３＋ｂｘ２＋ｃｘ＋ｄ、ｙ＝ａｘ４＋ｂｘ３＋…＋ｃｘ＋ｄ、ｙ＝ａｘ５＋ｂｘ４＋…＋ｃｘ＋ｄ、ｙ＝ａｘ６＋ｂｘ５＋…＋ｃｘ＋ｄなどである。本実施例において、初期階調補正曲線式は、ｙ＝ａｘ２＋ｃｘ＋ｄであり、同一領域内の初期階調補正曲線の式は同じである。
【００３５】
Ｓ１４２：Ｘ番目の領域及びその隣接する領域に記憶された予め設定されたムラ補正値に基づいて最終的な階調補正曲線式を算出するステップ。
【００３６】
本実施例において、表示パネルに初期階調補正曲線式が記憶されており、式中の相関係数が算出されない、即ち、初期階調補正曲線式中のａ、ｂ、…、ｃ、ｄなどの係数が算出されないため、最終的な階調補正曲線式は、Ｘ番目の領域及びその隣接する領域に記憶された予め設定されたムラ補正値に基づいて直接又は間接的に算出される。例えば、Ｘ番目の領域の領域座標は（３，３）であり、隣接する領域の領域座標は（２，３）、（４，３）、（３，２）、（３，４）などであり、さらに隣接する領域の座標は（２，２）、（２，４）、（４，２）、（４，４）などである。これらの領域の予め設定されたムラ補正値を初期階調補正曲線式に代入して、第１画素と同一行又は同一列の初期階調補正曲線式の相関係数を直接計算することにより、第１画素と同一行又は同一列の他の画素の第１最終的な階調補正曲線式を取得し、該第１最終的な階調補正曲線式に基づいて、第１画素と同一行又は同一列の他の画素の補完ムラ補正値を計算することができる。ムラ補正値を算出する必要がある画素が同一領域の第１画素と同一行又は同一列に位置しない場合、Ｘ番目の領域とその隣接する領域に記憶されたムラ補正値に基づいて、該これらの他の画素に対応する最終的な階調補正曲線式を間接的に計算して取得することができる。具体的には、図４に示すように、ｇ画素に対応するムラ補正値を取得する必要がある場合に、まずｇ画素の行又は列の第２最終的な階調補正曲線式を取得する必要があるが、具体的に第２最終的な階調補正曲線式を取得する方法は以下の通りである。第１最終的な階調補正曲線式に基づいて第１画素と同一行又は同一列の他の画素の補完ムラ補正値を取得することができる。つまり、ｈ画素及びｅ画素の補完ムラ補正値を取得することができ、線形差分演算に基づいてＸ番目の領域の隣接領域と同様にｈ画素位置（例えば、ｊ画素）及びｅ画素位置（例えば、ｆ画素）のムラ補正値を取得することができ、初期階調補正曲線式に代入して、ｇ画素列又はｇ画素行の初期階調補正曲線式のパラメータを取得することができ、第２最終的な階調補正曲線式を間接的に取得することができ、さらにｇ画素に対応する補完ムラ補正値を取得することができる。本実施例において、同一領域の異なる行又は列の画素の最終的な階調補正曲線式のパラメータは異なるが、勿論、本発明の他の実施例において、同一領域内の全ての画素の最終的な階調補正曲線式のパラメータが同じであってもよい。
【００３７】
また、本発明の他の実施例において、初期階調補正曲線式を記憶して最終的な階調補正曲線式を算出するステップを経ることなく、表示パネルは、最終的な階調補正曲線式を直接記憶してもよい。即ち、該最終的な階調補正曲線式における係数が既知である場合、最終的な階調補正曲線式を取得することができる。
【００３８】
Ｓ１５０：予め設定されたムラ補正値と最終的な階調補正曲線式とに基づいて、Ｘ番目の領域の第１画素以外の他の画素に対応する補完ムラ補正値を算出するステップ。
【００３９】
本実施例において、最終的な階調補正曲線式を取得した後、ムラ補正値を算出する必要がある画素のＸ番目の領域内の参照画素との間の行間隔画素数又は列間隔画素数を代入して、Ｘ番目の領域内の第１画素以外の他の画素に対応する補完ムラ補正値を算出することができる。例えば、Ｘ番目の領域内の他の６３個の画素に対応する補完ムラ補正値を算出することができる。
【００４０】
Ｓ１６０：前記予め設定されたムラ補正値と前記補完ムラ補正値とに基づいて、Ｘ番目の領域を新たにムラ補正するステップ。
【００４１】
Ｘ番目の領域内の第１画素以外の他の６３個の画素に対応する補完ムラ補正値を取得した後、さらにＸ番目の領域の第１画素に対応する予め設定されたムラ補正値と組み合わせて、Ｘ番目の領域をムラ補正することにより、最終的な補正効果は図５に示される。非線形補正曲線式により算出されたムラ補正値はムラ補正され、Ｘ番目の領域は従来技術よりも輝度が均一であり、表示効果が良い。
【００４２】
本実施例において、表示パネルは、ムラ補正した後に、Ｘ番目の領域にムラ現象が依然として存在する情報を取得した場合に、Ｘ番目の領域を従来のようにムラ補正せずに、最終的な階調補正曲線式により、Ｘ番目の領域の第１画素以外の他の画素に対応する補完ムラ補正値を算出するとともに、予め設定されたムラ補正値及び補完ムラ補正値に基づいて、Ｘ番目の領域を新たにムラ補正することにより、Ｘ番目の領域のムラ問題を改善することができ、パネルムラの変動状況が激しい場合でも、表示パネルの表示効果を向上させることができる。
【００４３】
また、本発明の実施例は、図６を参照して、表示パネルをさらに提供しており、該表示パネルは第１記憶ユニット１１０、計算補正ユニット１２０、第１取得ユニット１３０、第２取得ユニット１４０、算出ユニット１５０及び補正ユニット１６０を含む。
【００４４】
第１記憶ユニット１１０は、ｎ＊ｍ画素の領域で圧縮され、例えば、本実施例において８＊８画素の領域で圧縮され、解像度が３８４０＊２１６０のパネルが４８０＊２７０個の領域を形成し、各領域のうち１つの第１画素に対応する予め設定されたムラ補正値を記憶する。本実施例において、予め記憶されたムラ補正値の数は４８１＊２７１である。ここで、ｎ、ｍは２以上の整数であり、本実施例において、第１記憶ユニット１１０は、データメモリ（ｆｌａｓｈ）であってもよく、勿論、本発明の他の実施例において、第１記憶ユニットは、タイミングコントローラ（Ｔｃｏｎ  ＩＣ）であってもよい。
【００４５】
計算補正ユニット１２０は、予め設定されたムラ補正値に基づいて線形補間計算を行って、同一領域の第１画素以外の他の画素のムラ補正値を取得するとともに、表示パネルをムラ補正する。本実施例において、記憶された４８１＊２７１個の予め設定されたムラ補正値に基づいて、線形補間計算により、第１画素以外の他の画素のムラ補正値を取得する。具体的な算出方法は、背景技術を参照することにより、表示パネル全体の全画素のムラ補正値を取得した後、表示パネルをムラ補正する。
【００４６】
第１取得ユニット１３０は、表示パネルをムラ補正した後に、表示パネルがｎ＊ｍ画素の領域間隔で圧縮されて形成された領域に属するＸ番目の領域にムラ現象が依然として存在する情報を取得する。表示パネルが初回ムラ補正した後、外付けムラ補修システムは、表示パネルのＸ番目の領域にムラ現象が依然として存在する情報を取得することができ、次にこの情報を第１取得ユニット１３０に送信することにより、第１取得ユニット１３０がＸ番目の領域にムラ現象が依然として存在する情報を取得する。
【００４７】
第２取得ユニット１４０は、最終的な階調補正曲線式を取得する。本実施例において、従来の線形補間によって算出された直線式ではなく、最終的な階調補正曲線式を取得する。最終的な階調補正曲線式は例えば、２次方程式、３次方程式、４次方程式、５次方程式、…、ｋ次方程式（ｋは２以上の整数である）などであってもよい非線形補正計算式である。
【００４８】
算出ユニット１５０は、予め設定されたムラ補正値と最終的な階調補正曲線式計算とに基づいて、Ｘ番目の領域の第１画素以外の他の画素に対応する補完ムラ補正値を取得する。本実施例において、最終的な階調補正曲線式を取得した後、ムラ補正値を算出する必要がある画素のＸ番目の領域内の参照画素との間の行間隔画素数又は列間隔画素数を代入して、Ｘ番目の領域内の第１画素以外の他の画素に対応する補完ムラ補正値を算出することができる。例えば、Ｘ番目の領域内の他の６３個の画素に対応する補完ムラ補正値を算出することができる。
【００４９】
補正ユニット１６０は、予め設定されたムラ補正値と補完ムラ補正値とが、Ｘ番目の領域を新たにムラ補正する。Ｘ番目の領域内の第１画素以外の他の６３個の画素に対応する補完ムラ補正値を取得した後、さらにＸ番目の領域の第１画素に対応する予め設定されたムラ補正値と組み合わせて、補正ユニット１６０はＸ番目の領域を新たにムラ補正することにより、非線形補正曲線式により算出されたムラ補正値をムラ補正した後、Ｘ番目の領域は従来技術よりも輝度が均一であり、表示効果が良い。
【００５０】
本実施例において、計算補正ユニット１２０、第１取得ユニット１３０、第２取得ユニット１４０、算出ユニット１５０及び補正ユニット１６０は、表示パネルの１つの部品内に集積されてもよく、例えば、タイミングコントローラ（Ｔｃｏｎ  ＩＣ）に集積されてもよく、無論、計算補正ユニット１２０、第１取得ユニット１３０、第２取得ユニット１４０、算出ユニット１５０及び補正ユニット１６０は、それぞれ独立した部品であってもよい。
【００５１】
本実施例において、第２取得ユニット１４０は、具体的に記憶サブユニット１４１及び処理サブユニット１４２を含む。
【００５２】
記憶サブユニット１４１は、初期階調補正曲線式を記憶する。本実施例において、記憶サブユニット１４１は初期階調補正曲線式を記憶し、記憶サブユニット１４１はデータメモリ（ｆｌａｓｈ）又はタイミングコントローラ（Ｔｃｏｎ  ＩＣ）であってもよい。初期階調補正曲線式は、
ｙ＝ａｘｎ＋ｂｘｎ−１＋…＋ｃｘ＋ｄであり、
例えば、初期階調補正曲線式は、ｙ＝ａｘ２＋ｃｘ＋ｄ、ｙ＝ａｘ３＋ｂｘ２＋ｃｘ＋ｄ、ｙ＝ａｘ４＋ｂｘ３＋…＋ｃｘ＋ｄ、ｙ＝ａｘ５＋ｂｘ４＋…＋ｃｘ＋ｄ、ｙ＝ａｘ６＋ｂｘ５＋…＋ｃｘ＋ｄなどである。本実施例において、初期階調補正曲線式は、ｙ＝ａｘ２＋ｃｘ＋ｄである。
【００５３】
処理サブユニット１４２は、Ｘ番目の領域とその隣接する領域に記憶された予め設定されたムラ補正値に基づいて最終的な階調補正曲線式を算出する。本実施例において、記憶サブユニット１４１に初期階調補正曲線式が記憶されており、式中の相関係数が算出されていない、即ち、初期階調補正曲線式中のａ、ｂ、…、ｃ、ｄなどの係数が算出されていないため、処理サブユニット１４２はＸ番目の領域及びその隣接する領域に記憶された予め設定されたムラ補正値に基づいて最終的な階調補正曲線式を直接又は間接的に算出する。
【００５４】
本実施例において、記憶サブユニット１４１と処理サブユニット１４２とは、タイミングコントローラ（Ｔｃｏｎ  ＩＣ）に集積されている。
【００５５】
なお、本明細書における各実施例は、漸進的に説明され、各実施例は、他の実施例との相違点を中心に説明され、各実施例間で同様の部分は、互いに参照されたい。装置の実施例については、方法の実施例と実質的に類似しているので、説明は比較的簡単であり、関連する箇所は、方法の実施例の一部の説明を参照すればよい。
【００５６】
上記の実施例の説明により、本発明は以下の利点を有する。
表示パネルは、ムラ補正した後に、Ｘ番目の領域にムラ現象が依然として存在する情報を取得した場合に、Ｘ番目の領域を従来のようにムラ補正せずに、最終的な階調補正曲線式により、Ｘ番目の領域の第１画素以外の他の画素に対応する補完ムラ補正値を算出するとともに、前記予め設定されたムラ補正値及び前記補完ムラ補正値に基づいて、Ｘ番目の領域を新たにムラ補正することにより、Ｘ番目の領域のムラ問題を改善することができ、パネルムラの変動状況が激しい場合でも、表示パネルの表示効果を向上させることができる。
【００５７】
以上の開示は、本発明の好ましい実施例にすぎず、本発明の権利範囲をこれによって限定することは当然できず、したがって、本発明の権利範囲によってなされる均等な変化は、本発明の権利範囲に属する。
【００５８】
本発明は、２０１７年５月３日に提出した、出願番号がＣＮ２０１７１０３１６８２７．７であって、発明の名称が「表示パネルのムラ現象補正方法及び表示パネル」である先行出願優先権を主張し、前記先願の内容は、引用の方法で本明細書に組み込まれる。
【図１】
0006874157.tif 000002
【図２】
0006874157.tif 000003
【図３】
0006874157.tif 000004
【図４】
0006874157.tif 000005
【図５】
0006874157.tif 000006
【図６】
0006874157.tif 000007